(57)【要約】【課題】磁性体反転表示パネルへのペン体による手書きで書き込んだ手書き情報及びイレーザーによる手書き情報を消去した消去情報を、ペン体又はイレーザーの位置座標として検出し、位置座標データを基に所望する出力表示装置に、前記手書き情報及び消去情報を再現して表示可能ならしめる又は前記手書き情報や消去情報を記憶可能ならしめる、磁性体反転表示パネル用の書き込み及び消去情報入力装置及びその装置を備えた磁性体反転表示パネル装置を得る【解決手段】書き込み及び消去情報入力装置において、ペン体に、Ｓ極又はＮ極の一方が露出するように磁石を配設した筆記部を設ける。イレーザーに、ペン体の筆記部の磁極と反対のＮ極又はＳ極の一方が露出するように磁石を配設した消去部を設ける。また、この装置を磁性体反転表示パネルに装着して、磁性体反転表示パネル装置とする。【選択図】　　　図１
2004070396.tif 000002
【特許請求の範囲】
【請求項１】
筆記板へのペン体による書き込こみ情報及びイレーザーによる消去情報を、検出手段により、ペン体又はイレーザーの位置を検出して位置座標データを算出して出力し、所望の表示装置又は記憶装置に、前記書き込み及び消去情報を再現して表示可能ならしめる又は前記書き込み及び消去情報を記憶可能ならしめる、少なくともペン体、イレーザー及び検出手段を備えた書き込み及び消去情報入力装置において、前記ペン体に、Ｓ極又はＮ極の一方が露出するように磁石を配設した筆記部を設け、前記イレーザーに、ペン体の筆記部の磁極と反対のＮ極又はＳ極の一方が露出するように磁石を配設した消去部を設けたことを特徴とする、書き込み及び消去情報入力装置。
【請求項２】
前記検出手段におけるペン体又はイレーザーの位置の検出を、赤外線発光部及び／又は超音波発信器と赤外線センサー及び／又は超音波センサーを用いて検出することを特徴とする、請求項１に記載の書き込み及び消去情報入力装置。
【請求項３】
前記ペン体及びイレーザーの磁石を、着脱自在に配設し、筆記部又は消去部となる露出した磁極を、Ｓ極からＮ極に又はＮ極からＳ極に変更可能としたことを特徴とする、請求項１又は２に記載の書き込み及び消去情報入力装置。
【請求項４】
請求項１、２又は３に記載された書き込み及び消去情報入力装置を備えてなる、磁性体反転表示パネル装置。
【発明の詳細な説明】
【０００１】
【発明の属する技術分野】
本発明は、磁性体反転表示パネルへのペン体による書き込み情報及びイレーザーによる消去情報を、所望の表示装置又は記憶装置に、前記書き込み及び消去情報を再現して表示可能ならしめる又は前記書き込み及び消去情報を記憶可能ならしめる、書き込み及び消去情報入力装置に関する。及びその装置を備えた磁性体反転表示パネル装置に関する。
【０００２】
【従来の技術】
従来、ホワイトボードにマーカーで手書きした文字や表等の書き込み情報や、該書き込み情報をイレーザーで消去してなる消去情報を、リアルタイムにコンピュータに取り込み、ディスプレイ画面等に前記書き込み情報や消去情報を再現して表示可能ならしめる書き込み及び消去情報入力装置は市販されており知られている。書き込み及び消去情報入力装置は、専用のペン体とイレーザー及び検出手段を備えており、検出手段により筆記時におけるペン体又は消去時におけるイレーザーの位置を検出して、位置座標データを算出し、プログラミングしたコンピュータに出力し、ディスプレイ画面等に前記書き込み情報や消去情報を再現して表示可能とするものである。
【０００３】
また、ホワイトボード等の筆記板に比べて、消去時に発生するインキの飛粉が無く、書いた文字に手や衣服が触れても文字が消えることがなく、又手や衣服を汚すことが無く、ペンやイレーザーが半永久的に使用が可能という利点がある磁性体反転表示パネルについても知られている。その構造について簡単に説明すると、複数の液体収容室に、分散媒と増稠剤とからなる液体中にＳ極とＮ極を有する表示用磁性体を分散した降伏値を有する分散液体を収容した構造である。磁性体反転表示パネルに筆記線を書き込むには、磁気ペンを使用する。例えば、表示用磁性体のＳ極側表面部分を緑色に着色し、Ｎ極側表面部分を白色に着色し、表面板が緑色（Ｓ極側表面部分）の表示状態で、磁気ペンに配設した磁石のＳ極部分で筆記すると表示用磁性体の白色（Ｎ極側表面部分）が表面板側へ配置され、背景が緑色（Ｓ極側表面部分）の表面板側に白（Ｎ極側表面部分）の筆記線が書かれた表示状態となる。筆記線を消去するには、磁気ペンに配設した磁極と反対の磁極であるＮ極部分が露出するように磁石を配設したイレーザーを用いる。
【０００４】
【発明が解決しようとする課題】
前記したホワイトボードへの筆記は、油性顔料等を含有したボードマーカーを用い、消去はスポンジの芯材にモヘアを貼ってなるパッド（消去部）等を有したイレーザーを用いて行うが、磁性体反転表示パネルへの筆記や消去は磁石を用いて行うために（ホワイトボード用のマーカーによる筆記や該筆記のイレーザーによる消去は可能である。）、磁性体反転表示パネル用の書き込み及び消去情報入力装置を得るためには、磁性体反転表示パネル用のペン体やイレーザーが必要である。
【０００５】
本発明は、磁性体反転表示パネルへのペン体による書き込み情報及びイレーザーによる消去情報を、ペン体又はイレーザーの位置座標として検出し、位置座標データを基に所望する表示装置又は記憶装置に前記手書き及び消去情報を再現して表示可能ならしめる、書き込み及び消去情報入力装置及びその装置を備えた磁性体反転表示パネル装置を得ることを目的とする。
【０００６】
【課題を解決するための手段】
本発明は、
「１．　筆記板へのペン体による書き込こみ情報及びイレーザーによる消去情報を、検出手段により、ペン体又はイレーザーの位置を検出して位置座標データを算出して出力し、所望の表示装置又は記憶装置に、前記書き込み及び消去情報を再現して表示可能ならしめる又は前記書き込み及び消去情報を記憶可能ならしめる、少なくともペン体、イレーザー及び検出手段を備えた書き込み及び消去情報入力装置において、前記ペン体に、Ｓ極又はＮ極の一方が露出するように磁石を配設した筆記部を設け、前記イレーザーに、ペン体の筆記部の磁極と反対のＮ極又はＳ極の一方が露出するように磁石を配設した消去部を設けたことを特徴とする、書き込み及び消去情報入力装置。
２．　前記検出手段におけるペン体又はイレーザーの位置の検出を、赤外線発光部及び／又は超音波発信器と赤外線センサー及び／又は超音波センサーを用いて検出することを特徴とする、１項に記載の書き込み及び消去情報入力装置。
３．　前記ペン体及びイレーザーの磁石を、着脱自在に配設し、筆記部又は消去部となる露出した磁極を、Ｓ極からＮ極に又はＮ極からＳ極に変更可能としたことを特徴とする、１項又は２項に記載の書き込み及び消去情報入力装置。
４．　１項、２項又は３項に記載された書き込み及び消去情報入力装置を備えてなる、磁性体反転表示パネル装置。」
である。
【０００７】
前記検出手段おけるペン体又はイレーザーの位置を検出する方法としては、感圧シートや電磁誘導パネル、あるいはレザー光、赤外線や超音波等を利用した多種多様のものがある。最近市販されている、ホワイトボードに手書きした書き込み情報や消去した消去情報をリアルタイムにコンピュータに取り込め、ディスプレイ画面等に手書き情報や消去情報を再現して表示可能ならしめる書き込み及び消去情報入力装置においては、手軽に使用でき、装置も複雑にならないという理由から、赤外線や超音波等を利用したものが多い。具体的には、ペン体やイレーザーに赤外線発光部及び／又は超音波発信器等を設け、赤外線センサー及び／又は超音波センサーを設けたレシーバーをホワイトボード上に備え、ペン体又はイレーザーから発信される赤外線パルス及び／又は超音波パルスをレシーバーが受信することにより、ペン体やイレーザーの位置を検出する方法である。
【０００８】
また、赤外線発光部を直線上に多数配設した発信体と、該発信体から発信された各々の赤外線パルスを受信する赤外線センサーを直線上に多数配設した受信体を、ホワイトボード上に対向した両辺縁部の近傍に対向して設け、赤外線パルスがペン体又はイレーザーにより遮られて受信できない部分を検知することにより、ペン体又はイレーザーの位置を検出する方法もある。
【０００９】
また、赤外線発光部又は超音波発信器を設けた発信体に、赤外線パルス又は超音波パルスを受信する受信部を設け、ペン体及びイレーザーに赤外線パルス又は超音波パルスを反射する反射手段を設け、発信体から発信した赤外線パルス又は超音波パルスを、ペン体又はイレーザーが反射し、その赤外線パルス又は超音波パルスを発信体が受信することにより、ペン体又はイレーザーの位置を検出する方法もある。
【００１０】
ところで、検出手段におけるペン体又はイレーザーの位置を検出する方法として、前記したように感圧シートや電磁誘導パネル等を用いた方法もあるが、磁性体反転表示パネルにおいては、該磁性体反転表示パネルに感圧シートや電磁誘導パネルを装着することにより表示性能に影響が生じる恐れがあるので好ましくない。磁性体反転表示パネルにおけるペン体やイレーザーの位置を検出する方法としては、赤外線発光部及び／又は超音波発信器と赤外線センサー及び／又は超音波センサーを利用した方法が好ましい。
【００１１】
前記ペン体及びイレーザーの磁石を、着脱自在に配設し、筆記部又は消去部となる露出した磁極を、Ｓ極からＮ極に又はＮ極からＳ極に向きを変更可能にすることにより、例えば、表示用磁性体においてＳ極側表面部分を緑色に着色し、Ｎ極側表面部分を白色に着色した場合に、白色（Ｎ極側表面部分）の表示状態で緑色（Ｓ極側表面部分）の筆記線で筆記することができるし、あるいは緑色（Ｓ極側表面部分）の表示状態で白色（Ｎ極側表面部分）の筆記線で筆記することが１つのペン体で可能となり、また前記各々の筆記線を消去するのに１つのイレーザーで可能となる。
【００１２】
【発明の実施の形態】
従来市販されている、ホワイトボードにマーカーで手書きした文字や表等の書き込み情報や、該書き込み情報をイレーザーで消去してなる消去情報を、リアルタイムにコンピュータに取り込み、ディスプレイ画面等に前記書き込み情報や消去情報を再現して表示可能ならしめる書き込み及び消去情報入力装置のペン体においては、赤外線発光部及び／又は超音波発信器等を設けたマーカーホルダーにホワイトボード用のマーカーを挿着した構造のものであるが、本発明の実施の形態は、前記ホワイトボード用マーカーに替えてＳ極又はＮ極の一方が露出するように磁石を設けてなる磁性体反転表示パネルの書き込み専用ペンを挿着する。または、磁性体反転表示パネルの書き込み専用ペンの軸筒に赤外線発光部及び／又は超音波発信器等を設ける。イレーザーにおいては、従来の書き込み及び消去情報入力装置のイレーザーにおいて、消去部であるパッドに替えて磁石を配設する。または、磁性体反転表示パネルのイレーザーに赤外線発光部及び／又は超音波発信器等を設ける。
【００１３】
【実施例】
本発明の実施例を、図を用いて説明する。尚、同一部材には同一番号を付してある。図１は、本実施例の書き込み及び消去情報入力装置１の使用状態の概略を示す図である。磁性体反転表示パネル１０１に文字や絵等を書き込んだり消去したりするペン体２やイレーザー３の位置の検出手段は、従来の書き込み及び消去情報入力装置と同様に、ペン体２に設けた、赤外線発光素子（図示せず）からなる第１発信部７と超音波発信器（図示せず）からなる第２発信部９と、又はイレーザー３に設けた、赤外線発光素子（図示せず）からなる第１発信部１０と超音波発信器（図示せず）からなる第２発信部１１と、レシーバー４に設けた発信された赤外線パルス及び超音波パルスを受信する赤外線センサー４３及び超音波センサー４４、４５とで構成されたものである。レシーバー４は、ペン体２やイレーザー３の位置を、ペン体２又はイレーザー３から同時に発せられた赤外線パルスと超音波パルスのレシーバー４の赤外線センサー部４３と超音波センサー部４４、４５に到達する遅れ時間から、ペン体２又はイレーザー３とレシーバー４の距離を算出する。
【００１４】
レシーバー４は、その結果からペン体又はイレーザーの位置座標データを算出し、該位置座標データを出力する。前記位置座標データの算出方法やデータの出力における回路等については、従来の書き込み及び消去情報入力装置と同様のものであり、説明は省略する。また、図示していないが、従来の書き込み及び消去情報入力装置と同様に、レシーバー４から所望するコンピュータ等への座標データは、シリアル通信にて送出している。
【００１５】
図２は、要部を断面としたペン体２の側面図で、ペン体２は、ホルダー５内に筆記部１３としてのＳ極又はＮ極を露出させた磁石１２を有した、磁性体反転表示パネル用の専用ペン１４を着脱自在に挿着した構造である。第１発信部７は、赤外線発光素子６をホルダー５の先端部５ａに周状に６個形成した凹孔１５に埋設して設けてある。第２発信部９は、周状の超音波発信器８をホルダー５の先端部５ａの凹溝１６に配設して設けてある。指等が超音波発信器８に触れないように外周に、貫通した貫通孔１７を周状に有した保護部材１８で覆ってある。ホルダー５の後端５ｂには、尾栓１９を螺着してある。尾栓１９の後端には電池２０を収納した収納室２１を設けてあり、収納室２１は着脱自在な蓋２２で閉塞されており、電池２０を交換可能としてある。尾栓１９の内部の底部２３には内方に突出した台座２４が形成してあり、該台座２４には、押圧されることによりスイッチが入るボタンスイッチ２５が配設してある。台座２４にはコイルスプリング２６が装着してあり、コイルスプリング２６の先端には、前記専用ペン１４の後端を保持する保持部材２７を付設してある。前記専用ペン１４は、コイルスプリング２６によりホルダー５の筆記先端側５ａに付勢されている。尚、図２において５０は、赤外線発光素子６や超音波発信器８を作動させたりするための回路部である。また、図面中、配線については省略してある。
【００１６】
ペン体２を持って筆記すると、ホルダー５内に挿着された専用ペン１４は筆圧によりホルダー５の後端５ｂ側に押圧され、前記ボタンスイッチ２５のスイッチが入り、赤外線発光素子６や超音波発信器８が作動し、赤外線パルス及び／又は超音波パルスを発信する。尚、第１発信部７や第２発信部９やボタンスイッチ２５における回路については、従来の書き込み及び消去情報入力装置のペン体におけるものと同様であり、図面上は省略してある。また、その説明も省略する。
【００１７】
図３は、要部を断面としたイレーザーの側面図である。イレーザー３は、第１発信部１０をペン体２と同様に、赤外線発光素子６を枠体２８の周状の側壁部２８ａに周状に６個形成した凹孔２９に埋設して設けてある。第２発信部１１は、周状の超音波発信器８を側壁部２８ａの凹溝３０に配設して設けてある。第２発信部１１の外周には、指等が超音波発信器８に触れないように、周状に貫通した貫通孔３１を有した保護部材３２で覆ってある。枠体２８の上端面２８ｂには、電池３３を収納した収納室３４を設けてあり、該収納室３４は着脱自在な蓋３５で閉塞されており、電池３３を交換可能としてある。枠体２８の内部の底部３６には内方に突出した台座３７が形成してあり、該台座３７には、押圧されることによりスイッチが入るボタンスイッチ３８が配設してある。台座３７にはコイルスプリング３９が装着してあり、コイルスプリング３９の先端には保持部材４０を付設してあり、消去部４１となる、ペン体２内に挿着した専用ペン１４の磁石１２における露出した磁極と反対のＮ極又はＳ極の一方が露出するように配設した磁石４２を保持してある。
【００１８】
ペン体２と同様に、イレーザー３により消去しようとすると、磁石４２が後退してボタンスイッチ３８のスイッチが入り、赤外線発光素子６や超音波発信器８が作動し、赤外線パルス及び／又は超音波パルスを発信する。尚、図３において５１は、赤外線発光素子６や超音波発信器８を作動させたりするための回路部である。また、図面中、配線については省略してある。
【００１９】
レシーバー４は、形状以外は従来の書き込み及び消去情報入力装置におけるレシーバーと何ら変わるものではない。その形状は直方体状の形状であり、中央部にはペン体２の第１発信部７又はイレーザー３の第１発信部１０から発信された赤外線パルスを受信する赤外線センサー（図示せず）を備えた赤外線センサー部４３を設けてある。長手方向の両端には、ペン体２の第２発信部９又はイレーザー３の第２発信部１１から発信された超音波パルスを受信する超音波センサー（図示せず）を備えた超音波センサー部４４、４５を設けてある。
【００２０】
書き込み及び消去情報入力装置としては、図示していないが、レシーバーから出力された座標データをリアルタイムにコンピュータに取り込み、ディスプレイ画面等に手書きで書き込んだ手書き情報や消去情報を再現して表示可能とするために又は手書き情報や消去情報を記憶可能とするために、前記コンピュータを制御するプログラムソフトが必要である。該プログラムソフトは、図示していないが従来の書き込み及び消去情報入力装置と同様に、ＣＤに収納して付設してある。
【００２１】
図４は、磁性体反転表示パネルの概略構造を示す要部を断面とした図で、磁性体反転表示パネル１０１は、裏面板１０２に複数のハニカムセル１０３を構成する隔壁１０４を固着して形成した液体収容室１０５の表示面側に、透明な表面板１０６を隔壁１０４に固着して一体としてある。液体収容室１０５には、分散媒と増稠剤とからなる液体１０７中にＳ極とＮ極を有する表示用磁性体１０８を分散した降伏値を有する分散液体１０９を収容してある。表示用磁性体１０８はＳ極側表面部分を緑色に着色し、Ｎ極側表面部分を白色に着色してある。例えば、表面板１０６が緑色（Ｓ極側表面部分）の表示状態で、専用ペン１４に配設した筆記部１３としての磁石１２のＳ極部分を表面板１０６に当接して筆記することにより、表示用磁性体１０８の白色（Ｎ極側表面部分）が線状に透明な表面板１０６側へ配置され、背景が緑色（Ｓ極側表面部分）の表面板１０６側に、白（Ｎ極側表面部分）の筆記線が書かれた表示状態となる。
【００２２】
緑色の背景に白（Ｎ極側表面部分）の筆記が行われている表面板１０６を緑色に戻すには、Ｎ極部分が表面板１０６に当接するように配設した消去部１１０としての磁石１１１を有した専用イレーザー１１２を、表面板１０６の白（Ｎ極側表面部分）の筆記線部分に当接して移動させると、表示用磁性体１０８の緑色（Ｓ極側表面部分）を表面板１０６側に配置して、表面板１０６を緑色の表示状態に戻すことができる。
【００２３】
本実施例の書き込み及び消去情報入力装置１におけるペン体２及びイレーザー３の磁性体反転表示パネル１０１上での位置座標の検出動作原理について簡単に説明すると、ペン体２又はイレーザー３で筆記又は消去すると（ペン体２及びイレーザー３が磁性体反転表示パネル１０１の表面板１０６に触れるとボタンスイッチ２５、３８によりスイッチが入る構造となっている。）、ペン体２又はイレーザー３の第１発信部７、１０から赤外線パルスが、第２発信部９、１１から超音波パルスが同時に発せられる。赤外線パルスは瞬時にレシーバー４の赤外線センサー部４３に到達するが、超音波は音速であるため遅れて超音波センサー部４４、４５に到達し、この遅れ時間からペン体２又はイレーザー３とレシーバー４における超音波センサー部４４、４５の距離を算出する。位置を特定する方法は種々あるが、本実施例では三角測量に基づき２定点でレシーバー４とペン体２又はイレーザー３との距離を測定し、それを基にペン体の位置座標を算出する。したがって、レシーバー４における超音波センサー部４４、４５は離れた位置に組み込まれている。
【００２４】
本実施例の書き込み及び消去情報入力装置１におけるレシーバー４は、図示していないが、磁性体反転表示パネル１０１に着脱自在に装着可能とするために裏面に吸盤構造を付設してある。本実施例の書き込み及び消去情報入力装置１を磁性体反転表示パネル１０１に装着し、磁性体反転表示パネル装置としても良い。
【００２５】
【発明の効果】
本発明の書き込み及び消去情報入力装置及びその装置を備えた磁性体反転表示パネル装置は、消去時にインキの飛粉が無く、書いた文字に手や衣服が触れても文字が消えることもなく、手や衣服を汚すことが無いので、クリーンな環境が要求される場所において、ペン体により手書きで書き込んだ手書き情報及びイレーザーにより消去した消去情報を、リアルタイムにコンピュータに取り込み、ディスプレイ画面等に前記手書き情報や消去情報を再現して表示可能ならしめる、又は記録装置に前記手書き情報や消去情報を記憶可能ならしめることができる。また、ペン体の筆記部が磁石を用いているので、従来のホワイトボード用の書き込み及び消去情報入力装置におけるペン体のように、ペン体に装着するマーカーペンのインク消費に基づく交換作業が無く、そうした煩わしさがないという利点がある。
【図面の簡単な説明】
【図１】本実施例の磁性体反転表示パネル用の書き込み及び消去情報入力装置の使用状態の概略を示す図である。
【図２】本実施例の磁性体反転表示パネル用の書き込み及び消去情報入力装置における、ペン体の要部を断面とした側面図である。
【図３】本実施例の磁性体反転表示パネル用の書き込み及び消去情報入力装置における、イレーザーの要部を断面とした側面図である。
【図４】磁性体反転表示パネルの概略構造を示す、要部を断面した図である。
【符号の説明】
１　書き込み及び消去情報入力装置
２　ペン体
３　イレーザー
４　レシーバー
６　赤外線発光素子
７、１０　第１発信部
８　超音波発信器
９、１１　第２発信部
１２　磁石
１３　筆記部
１４　専用ペン
４１　消去部
４２　磁石
４３　赤外線センサー部
４４、４５　超音波センサー部
【図１】
2004070396.tif 000003
【図２】
2004070396.tif 000004
【図３】
2004070396.tif 000005
【図４】
2004070396.tif 000006